(57)【要約】      （修正有）【課題】軽量化することができ、簡単に持ち運ぶことができ、家庭における麺類作り用の道具としての利便性を高めることができる麺打ち台を提供する。【解決手段】蕎麦、饂飩等の麺類の生地を延ばす板状の麺板１からなり、麺板は芯材２及び芯材の表裏面の表面材３を一体化してなる三層のサンドイッチ構造に形成され、芯材は、ハニカム状材である。このため、麺板を従来の無垢構造のものに比べて遙かに軽量化することができ、簡単に持ち運ぶことができ、家庭における麺類作り用の道具としての利便性を高めることができる。【選択図】図２
0003163394.tif 000002
【実用新案登録請求の範囲】
【請求項１】
蕎麦、饂飩等の麺類の生地を延ばす板状の麺板からなり、上記麺板は芯材及び該芯材の表裏面の表面材を一体化してなる三層のサンドイッチ構造に形成され、該芯材は、ハニカム状材であることを特徴とする麺打ち台。
【請求項２】
蕎麦、饂飩等の麺類の生地を延ばす板状の麺板からなり、上記麺板は芯材及び該芯材の表裏面の表面材を一体化してなる三層のサンドイッチ構造に形成され、該芯材は、発泡スチロール、発泡ウレタン等の発泡合成樹脂からなることを特徴とする麺打ち台。
【請求項３】
上記表面材は、シナ合板、桐材、アラスカ檜等の木材、合成樹脂、ステンレス材からなることを特徴とする請求項１又は２記載の麺打ち台。
【考案の詳細な説明】
【技術分野】
【０００１】
本考案は、例えば、蕎麦、饂飩等の麺類の生地を麺棒を用いて延ばす際に用いられる麺打ち台に関するものである。
【背景技術】
【０００２】
従来、この種の麺打ち台として、例えば、９０ｃｍ×９０ｃｍ、１２０ｃｍ×１２０ｃｍ程度の平面で厚さが３０ｍｍ程度の木製や合成樹脂製等の板状の麺板からなる構造のものが知られている。
【先行技術文献】
【特許文献】
【０００３】
【特許文献１】実用新案登録第３０９６１５１号
【考案の概要】
【考案が解決しようとする課題】
【０００４】
しかしながらこれら従来構造の場合、所謂、麺板は無垢の木材や中実の合成樹脂板状からなり、かつ、９０ｃｍ方形板、１２０ｃｍ方形板であるから、簡単に持ち運べない重量物となって可搬性に劣ることがあり、例えば、家庭における蕎麦作り用の道具としての利便性が低いことになるという不都合を有している。
【課題を解決するための手段】
【０００５】
本考案はこのような不都合を解決することを目的とするもので、本考案のうち、請求項１記載の考案にあっては、蕎麦、饂飩等の麺類の生地を延ばす板状の麺板からなり、上記麺板は芯材及び該芯材の表裏面の表面材を一体化してなる三層のサンドイッチ構造に形成され、該芯材は、ハニカム状材であることを特徴とする麺打ち台にある。
【０００６】
又、請求項２記載の考案は、蕎麦、饂飩等の麺類の生地を延ばす板状の麺板からなり、上記麺板は芯材及び該芯材の表裏面の表面材を一体化してなる三層のサンドイッチ構造に形成され、該芯材は、発泡スチロール、発泡ウレタン等の発泡合成樹脂からなることを特徴とする麺打ち台にある。
【０００７】
又、請求項３記載の考案は、上記表面材は、シナ合板、桐材、アラスカ檜等の木材、合成樹脂、ステンレス材からなることを特徴とするものである。
【考案の効果】
【０００８】
本考案は上述の如く、請求項１記載の考案にあっては、蕎麦、饂飩等の麺類の生地を延ばす板状の麺板は芯材及び芯材の表裏面の表面材を一体化してなる三層のサンドイッチ構造に形成され、芯材は、ハニカム状材により形成され、このため、麺板を従来の無垢構造のものに比べて遙かに軽量化することができ、簡単に持ち運ぶことができ、家庭における麺類作り用の道具としての利便性を高めることができる。
【０００９】
又、請求項２記載の考案にあっては、蕎麦、饂飩等の麺類の生地を延ばす板状の麺板は芯材及び芯材の表裏面の表面材を一体化してなる三層のサンドイッチ構造に形成され、芯材は、発泡スチロール、発泡ウレタン等の発泡合成樹脂からなり、このため、麺板を従来の無垢構造のものに比べて遙かに軽量化することができ、簡単に持ち運ぶことができ、家庭における麺類作り用の道具としての利便性を高めることができる。
【００１０】
又、請求項３記載の考案にあっては、上記表面材は、シナ合板、桐材、アラスカ檜等の木材、合成樹脂、ステンレス材からなるので、一層軽量化することができる。
【図面の簡単な説明】
【００１１】
【図１】本考案の実施の第一形態例の全体斜視図である。
【図２】本考案の実施の第一形態例の断面図である。
【図３】本考案の実施の第一形態例の部分平断面図である。
【図４】本考案の実施の第二形態例の部分平断面図である。
【考案を実施するための形態】
【００１２】
図１乃至図４は本考案の実施の形態例を示し、図１乃至図３は請求項１に対応する第一形態例、図４は請求項２に対応する第二形態例である。
【００１３】
図１乃至図３の第一形態例において、１は麺板であって、この場合、横及び幅が９０ｃｍ、厚さ３０ｍｍの方形板状に形成され、この麺板１は芯材２及び芯材２の表裏面の表面材３・３を接着剤により一体化してなる三層のサンドイッチ構造に形成されている。
【００１４】
そして、この場合、芯材２は、紙製の四角状のハニカム状材が用いられており、このハニカム状材としては、空洞部たるセルＳが四角状に限らず、六角状、三角状などの各種の構造、紙製に限らず、ＦＲＰ製、合成樹脂製、金属製等の材質のものが用いられる。又、ハニカム状材のセルＳ中に発泡樹脂を充填した構造のハニカム状材を用いることもある。
【００１５】
又、上記表面材３・３は、この場合、シナ合板からなる木材製のものが用いられ、その他、桐材、アラスカ檜等の木材や合成樹脂、ステンレス材が用いられ、望ましくは、木材が用いられる。
【００１６】
この実施の第一形態例は上記構成であるから、蕎麦、饂飩等の麺類の生地を延ばす板状の麺板１は芯材２及び芯材２の表裏面の表面材３・３を一体化してなる三層のサンドイッチ構造に形成され、芯材２は、ハニカム状材により形成され、このため、麺板１を従来の無垢構造のものに比べて遙かに軽量化することができ、簡単に持ち運ぶことができ、家庭における蕎麦や饂飩等の麺類作り用の道具としての利便性を高めることができる。
【００１７】
又、この場合、上記表面材３・３は、シナ合板、桐材、アラスカ檜等の木材、合成樹脂、ステンレス材からなるので、一層軽量化することができる。
【００１８】
図４の第二形態例において、１は麺板であって、この場合、横及び幅が９０ｃｍ、厚さ３０ｍｍの方形板状に形成され、この麺板１は芯材２及び芯材２の表裏面の表面材３・３を接着剤により一体化してなる三層のサンドイッチ構造に形成されている。
【００１９】
そして、この場合、芯材２は、発泡スチロール、発泡ウレタン等の発泡樹脂からなる。
【００２０】
又、上記表面材３・３は、上記第一形態例と同様に、シナ合板からなる木材製のものが用いられ、その他、桐材、アラスカ檜等の木材や合成樹脂、ステンレス材が用いられ、望ましくは、木材が用いられる。
【００２１】
この実施の第二形態例は上記構成であるから、蕎麦、饂飩等の麺類の生地を延ばす板状の麺板１は芯材２及び芯材２の表裏面の表面材３・３を一体化してなる三層のサンドイッチ構造に形成され、芯材２は、発泡スチロール、発泡ウレタン等の発泡合成樹脂からなり、このため、麺板１を従来の無垢構造のものに比べて遙かに軽量化することができ、簡単に持ち運ぶことができ、家庭における蕎麦や饂飩等の麺類作り用の道具としての利便性を高めることができる。
【００２２】
又、この場合、第一形態例と同様に、上記表面材３・３は、シナ合板、桐材、アラスカ檜等の木材、合成樹脂、ステンレス材からなるので、一層軽量化することができる。
【００２３】
尚、本考案は上記の形態例に限られるものではなく、上記麺板１、芯材２、表面材３の形状、材質、構造や、芯材２と表面材３・３との一体化手段等は適宜変更して設計される。
【００２４】
以上の如く、所期の目的を充分達成することができる。
【符号の説明】
【００２５】
１    麺板
２    芯材
３    表面材
【図１】
0003163394.tif 000003
【図２】
0003163394.tif 000004
【図３】
0003163394.tif 000005
【図４】
0003163394.tif 000006